(57)【要約】      【課題】本発明は、グローブインサート１をグローブライニング２、グローブシェル３に取り付ける際に縫製や接着テープを貼る工程を経ないで接合可能とすることを目的とする。      【解決手段】グローブインサートフィルム６の両面にウレタンを貼り合わせることにより、ウレタン５とグローブライニング２、グローブシェル３の間で起こる摩擦により縫製、接着テープ４の貼り付けなどの工程を経ることなく簡単、且つ確実にグローブインサート１とグローブライニング２、グローブシェル３を接合することを可能にしたことを特徴とする。      【選択図】    図７
2007131969.tif 000002
【特許請求の範囲】
【請求項１】
グローブシェル３とグローブライニング２とグローブインサート１をウレタン５の摩擦により接合できるグローブインサート１
【請求項２】
グローブインサート１の表側、裏側にウレタン５を貼り合わせることによりグローブライニング２を取り付ける工程においてグローブインサート１のウレタン５とグローブライニング２の摩擦により、グローブライニング２が抜け出ることを防止できるグローブインサート１の製造方法。
【請求項３】
グローブインサート１の表側、裏側にウレタンを貼り合わせることによりグローブシェル３を取り付ける工程においてグローブインサート１のウレタン５とグローブシェル３の摩擦により、グローブインサート１が抜け出ることを防止できるグローブインサート１の製造方法。
【発明の詳細な説明】
【技術分野】
【０００１】
グローブインサート１のグローブインサートフィルム６の両面にウレタン５を貼り合わせることで、縫製や接着なしで、グローブライニング２とグローブインサート１とグローブシェル３を接合可能にする技術。
【背景技術】
【０００２】
近年、グローブシェル３（グローブの一番外側の部分、外気との接触部分）と
グローブライニング２（グローブの内側部分、手に直接あたる部分）の間に、透湿防水素材、或いは、防水素材をグローブの形状に加工したグローブインサート１を挟み込み、グローブ内に水が入ってこないようにするグローブが多くなった。
グローブインサート１を入れることにより、これまでグローブの縫い目から入っていた水もグローブの中まで入ってこなくなり、手を快適な状態に保つことができるようになった。
【０００３】
図1、図２、図３は、従来のグローブインサート１をグローブシェル３、グローブライニング２に装着する方法を示した説明図である。
図1  まず、グローブライニング２の各5本の指に、両面接着テープ４、或いは，熱で溶けて接着できるテープ４を貼るか或いは、接着剤４を塗ってグローブインサート１をかぶせる。
図２  グローブインサート１の指先と裏返ったグローブシェル３の指先を縫い付ける。
図３  裏返ったグローブシェル３を元に戻す。
【発明の開示】
【発明が解決しようとする課題】
【０００４】
しかし、グローブインサート１の１０本の指先に両面接着テープ４を貼ったり、指先をグローブシェル３に縫製したりする工程は大変時間がかかり、著しく作業性を低下させるとともに両面接着テープ４の耐久性の限界によりいったんしっかり装着できたグローブインサート１でも、指の運動や，手袋内での温度の上昇等の諸条件で、グローブライニング２と、グローブインサート１を引っ付けている、接着テープ４或いは，接着剤４が機能をしなくなる可能性がある。その結果、手をグローブから抜こうとした時に、グローブライニング２が、手に引っ付いて出てくる事例が多発している。
一度グローブライニング２が、グローブから抜け出てしまうとそのまま装着しても、毎回抜け出てしまい、中に装着されたグローブインサート１は非常に破れる可能性が高くなる。
その結果、いくら透湿防水に優れた素材で作られたグローブインサート１でもその破れた部分から水が入ってしまい、かえってグローブ内から水が抜けにくくなって、手に不快感を与えるようになる。
【課題を解決するための手段】
【０００５】
図４、図５、図６は本発明のグローブインサート１の製造方法を示している。
図４  グローブインサート１の素材の断面図を示している。
グローブインサートフィルム６の両面にウレタン５を貼り付けた図を示している。
ウレタン５のかわりに、摩擦係数が高ければ、どんな素材でもよい。例えば、ゴム、PVC、PP、PU など。
図５ 裁断されたグローブインサート１の素材を示している。
この際、必要に応じて平面は図４の素材を使用せずに、グローブインサートフィルム６のみを使用してもよい。 
図６  高周波等の方法で甲側のグローブインサート１の素材を圧着する。
図７  本発明のグローブインサートの指先断面図を示している。
【発明の効果】
【０００６】
以上，説明したように，グローブインサート１の両面に貼り付けられた、ウレタンと、グローブライニング２およびグローブシェル３との間で摩擦が起こる。
その結果、従来のように、縫製や両面テープ４などを貼り付ける工程を経ることなく、グローブライニング２およびグローブインサート１が、抜け出ることもなくなり、手を快適な状態に保つことができる      
【実施例】
【０００７】
図８、図９、図１０、図１１は、このグローブインサート１を使っての装着方法である。
図８  まず、グローブインサート１とグローブライニング２の各指先を合わせる。
図９  グローブインサート１を裏返ししてグローブライニング２にかぶせる。
図１０  グローブインサート１の各指先にグローブシェル３の各指先を合わせる。図１１ グローブシェル３を裏返してグローブインサート１にかぶせる。
。
【図面の簡単な説明】
【０００８】
【図１】従来のグローブインサートの装着方法を示した説明図である。
【図２】従来のグローブインサートの装着方法を示した説明図である。
【図３】従来のグローブインサートの装着方法を示した説明図である。
【図４】本発明のグローブインサートの製造方法を示した説明図である。
【図５】本発明のグローブインサートの製造方法を示した説明図である。
【図６】本発明のグローブインサートの製造方法を示した説明図である。
【図７】本発明のグローブインサートの装着方法を示した説明図である。
【図８】本発明のグローブインサートの装着方法を示した説明図である。
【図９】本発明のグローブインサートの装着方法を示した説明図である。
【図１０】本発明のグローブインサートの装着方法を示した説明図である。
【図１１】本発明のグローブインサートの装着方法を示した説明図である。
【符号の説明】
【０００９】
１  グローブインサート
２  グローブライニング
３  グローブシェル
４  両面接着テープ、或いは，熱で溶けて接着できるテープ、或いは、接着剤
５  ウレタン
６  グローブインサートフィルム
【図１】
2007131969.tif 000003
【図２】
2007131969.tif 000004
【図３】
2007131969.tif 000005
【図４】
2007131969.tif 000006
【図５】
2007131969.tif 000007
【図６】
2007131969.tif 000008
【図７】
2007131969.tif 000009
【図８】
2007131969.tif 000010
【図９】
2007131969.tif 000011
【図１０】
2007131969.tif 000012
【図１１】
2007131969.tif 000013